(57)【要約】  本発明は、実際のゴルフ場でゴルフラウンドする時に、キャディーによるガイドが頻繁に行われ、特に、パット時にキャディーがグリーンのライを読んでパッティング方向をガイドする点を、仮想ゴルフシミュレーションを通じた仮想のゴルフ過程でも具現されるようにして、仮想ゴルフシミュレーションを通じて提供されるコンテンツをゴルファー中心のもっと能動的な形態で提供することによって、ゴルファーの便宜を図り、仮想ゴルフに対する興味を誘発させることができる仮想ゴルフシミュレーション装置及び方法を提供するためのものである。そのための本発明の一実施例による仮想ゴルフシミュレーション装置は、ゴルフコースに対する仮想ゴルフシミュレーション装置において、仮想のグリーン及び地形情報に対する映像を表示する映像処理手段と、前記グリーンに対するゴルフシミュレーションが行われるようにするシミュレーション手段と、前記グリーンで、ゴルフボールとホールカップ間の全領域または一部領域に対する前記グリーンの地形情報を把握して、ユーザがパットする方向を提示するパッティングガイドが表示されるようにするパッティングガイド表示手段と、を含む。【選択図】図２
2013516211.tif 000002
【特許請求の範囲】
【請求項１】
ゴルフコースに対する仮想ゴルフシミュレーション装置において、
仮想のグリーン及び地形情報の映像を表示する映像処理手段と、
前記グリーンにおいてゴルフシミュレーションが行われるようにするシミュレーション手段と、
前記グリーンで、ゴルフボールとホールカップ間の全領域または一部領域に対する前記グリーンの地形情報を把握して、ユーザがパットする方向を提示するパッティングガイドが表示されるようにするパッティングガイド表示手段と
を含む、仮想ゴルフシミュレーション装置。
【請求項２】
ゴルフコースに対する仮想ゴルフシミュレーション装置において、
仮想のグリーン及び地形情報の映像と、前記グリーンが縮小されて表示されるミニマップ映像とを表示する映像処理手段と、
前記グリーンにおいてゴルフシミュレーションが行われるようにするシミュレーション手段と、
前記グリーンで、ゴルフボールとホールカップ間の全領域または一部領域に対する前記グリーンの地形情報を把握して、ユーザがパットする方向を前記ミニマップ上に提示するパッティングガイドが表示されるようにするパッティングガイド表示手段と
を含む、仮想ゴルフシミュレーション装置。
【請求項３】
ゴルフコースに対する仮想ゴルフシミュレーション装置において、
仮想のグリーン及び地形情報の映像を表示する映像処理手段と、
前記グリーンにおいてゴルフシミュレーションが行われるようにするシミュレーション手段と、
ユーザの仮想ゴルフを案内する仮想のキャディーに関する情報を処理するキャディー処理手段と、
前記グリーンで、ゴルフボールとホールカップ間の全領域または一部領域に対する前記グリーンの地形情報が把握され、前記仮想のキャディーによって、ユーザがパットする方向が提示されるパッティングガイドが表示されるようにするパッティングガイド表示手段と
を含む、仮想ゴルフシミュレーション装置。
【請求項４】
前記パッティングガイドは、ユーザの操作により選択的に又は特定状況に応じて自動的に実行されるように構成されることを特徴とする、請求項１から３のいずれか１項に記載の仮想ゴルフシミュレーション装置。
【請求項５】
前記パッティングガイドによってゴルフボールからホールカップまで自動で又はユーザの操作により手動でエイミングが行われるように構成されることを特徴とする、請求項１から３のいずれか１項に記載の仮想ゴルフシミュレーション装置。
【請求項６】
前記パッティングガイドは、ゴルフボールのパッティング進行方向を案内する矢印表示部を含むことを特徴とする、請求項１から３のいずれか１項に記載の仮想ゴルフシミュレーション装置。
【請求項７】
前記パッティングガイドは、ゴルフボールからホールカップまでの区間のうち一部区間にわたって表示され、パッティング進行方向を案内する矢印表示部を含むことを特徴とする、請求項１から３のいずれか１項に記載の仮想ゴルフシミュレーション装置。
【請求項８】
前記パッティングガイドは、ゴルフボールが前記ホールカップから所定の半径による領域以内に進入する場合に、ユーザの操作により選択的に実行される、または自動的に実行されるように構成されることを特徴とする、請求項１から３のいずれか１項に記載の仮想ゴルフシミュレーション装置。
【請求項９】
前記キャディー処理手段は、複数のキャディーに関する情報を格納し、
ユーザにより選択されたキャディーによって前記パッティングガイドが表示されるように構成されることを特徴とする、請求項３に記載の仮想ゴルフシミュレーション装置。
【請求項１０】
前記複数のキャディーは、それぞれ互いに異なる能力値を持つものとして格納され、
前記パッティングガイドの正確度は、前記キャディーごとにそれぞれ異なるように具現されるように構成されることを特徴とする、請求項９に記載の仮想ゴルフシミュレーション装置。
【請求項１１】
ゴルフコースに対する仮想ゴルフシミュレーション方法において、
仮想のゴルフコースのグリーンのシミュレーション映像が表示される段階と、
前記グリーンで、ゴルフボールとホールカップ間の地形情報を把握する段階と、
前記把握された地形情報に基づいて、前記ゴルフボールからホールカップまでの全区間または一部区間にわたってユーザがパットする方向を提示するパッティングガイドを表示する段階と
を含む、仮想ゴルフシミュレーション方法。
【請求項１２】
ゴルフコースに対する仮想ゴルフシミュレーション方法において、
仮想のゴルフコースのグリーンのシミュレーション映像が表示される段階と、
前記グリーンが縮小されて表示されるミニマップ映像が表示される段階と、
前記グリーンで、ゴルフボールとホールカップ間の地形情報を把握する段階と、
前記把握された地形情報に基づいて、前記ゴルフボールからホールカップまでの全区間または一部区間にわたってユーザがパットする方向を提示するパッティングガイドを前記ミニマップ上に表示する段階と
を含む、仮想ゴルフシミュレーション方法。
【請求項１３】
シミュレーションされるゴルフボールが、前記グリーン上のホールカップから所定の半径による領域以内に進入するか否かを判断する段階をさらに含み、
前記ゴルフボールが前記ホールカップから所定の半径による領域以内に進入する場合に、前記地形情報を把握する段階、及びパッティングガイドを表示する段階が実行されるようにすることを特徴とする、請求項１１又は１２に記載の仮想ゴルフシミュレーション方法。
【請求項１４】
ゴルフコースに対する仮想ゴルフシミュレーション方法において、
仮想のゴルフコースのグリーンのシミュレーション映像が表示される段階と、
前記グリーンで、ゴルフボールとホールカップ間の地形情報を把握する段階と、
キャディー情報格納部から、ユーザにパットする方向を案内するようにする仮想キャディーの音声及び映像情報のうち少なくとも一つの情報が抽出される段階と、
前記把握された地形情報に基づいて、ユーザにパットする方向を提示するパッティングガイドが、前記抽出されたキャディー情報によって具現される仮想キャディーによって案内される段階と
を含む、仮想ゴルフシミュレーション方法。
【請求項１５】
前記キャディー情報格納部は、互いに異なる音声及び映像情報を有する複数の仮想キャディーに関する情報を格納し、
前記情報が抽出される段階は、前記キャディー情報格納部から、ユーザの選択又はランダムに選択された特定の仮想キャディーに関する情報が抽出されることを特徴とする、請求項１４に記載の仮想ゴルフシミュレーション方法。
【請求項１６】
前記キャディー情報格納部は、互いに異なる能力値に関する情報を持つ複数の仮想キャディーに関する情報を格納し、
前記情報が抽出される段階は、前記キャディー情報格納部から、ユーザの選択又はランダムに選択された特定の仮想キャディーに関する情報が抽出される段階を含み、
前記仮想キャディーによって案内される段階は、前記地形情報を把握する段階で把握されたグリーンの地形情報に対して、前記選択された仮想キャディーの能力値に対応する正確度で前記パッティングガイドが案内される段階を含むことを特徴とする、請求項１４に記載の仮想ゴルフシミュレーション方法。
【発明の詳細な説明】
【技術分野】
【０００１】
本発明は、仮想ゴルフシミュレーション装置及び方法に係り、より詳細には、仮想のゴルフコースが映像化されてシミュレーションされ、ユーザ、すなわちゴルファーが打撃したゴルフボールの軌跡が前記仮想のゴルフコースでシミュレーションされる仮想ゴルフシミュレーション装置及び方法に関する。
【背景技術】
【０００２】
近年、ゴルフの人口が増加するにつれて、仮想ゴルフシミュレーション装置などを用いたゴルフ練習及び仮想のゴルフ競技を楽しめる、いわゆるスクリーンゴルフシステムが登場した。
【０００３】
このようなスクリーンゴルフシステムは、室内に仮想のゴルフ場をディスプレイできるスクリーンを設置し、ゴルファーがゴルフボールを前記スクリーンに向かって打撃すれば、ゴルフボールの速度、方向などを感知して、前記スクリーン上にゴルフボールの進行を表示するシステムである。
【０００４】
このように仮想ゴルフシミュレーション装置により具現されるスクリーンゴルフシステムなどでは、ゴルフ練習場でゴルフボールを打撃するのと同様にゴルフボールを打撃しながら、実際にゴルフ場でラウンドしているかのような臨場感を与えることができる特徴がある。
【０００５】
仮想ゴルフシミュレーション装置は、様々な先端装置及びシステムを通じてサービスされる特性上、実際のゴルフ場やゴルフ練習場では提供しにくい多様なコンテンツを提供することが可能である。実際のゴルフ場でゴルフラウンドする時になされることが仮想ゴルフシミュレーション装置を通じてもなされるようにすることで、実際のゴルフ場でゴルフラウンドしているかのようなリアリティーを提供し、ゴルファーの便宜を図ることができるようにすることが必要である。
【発明の概要】
【発明が解決しようとする課題】
【０００６】
本発明の目的は、実際のゴルフ場でゴルフラウンドする時に、キャディー（Ｃａｄｄｉｅ）によるガイドが頻繁に行われ、特に、パット時にキャディーがグリーンのライ（Ｌｉｅ）を読んでパッティング方向をガイドする点を、仮想ゴルフシミュレーションを通じた仮想のゴルフ過程でも具現されるようにして、仮想ゴルフシミュレーションを通じて提供されるコンテンツをゴルファー中心のもっと能動的な形態で提供することによって、ゴルファーの便宜を図り、仮想ゴルフに対する興味を誘発させることができる仮想ゴルフシミュレーション装置及び方法を提供することにある。
【課題を解決するための手段】
【０００７】
本発明の一実施例に係る仮想ゴルフシミュレーション装置は、ゴルフコースに対する仮想ゴルフシミュレーション装置において、仮想のグリーン及び地形情報に対する映像を表示する映像処理手段と、前記グリーンに対するゴルフシミュレーションが行われるようにするシミュレーション手段と、前記グリーンで、ゴルフボールとホールカップ間の全領域または一部領域に対する前記グリーンの地形情報を把握して、ユーザがパットする方向を提示するパッティングガイドが表示されるようにするパッティングガイド表示手段と、を含む。
【０００８】
一方、本発明の他の一実施例に係る仮想ゴルフシミュレーション装置は、ゴルフコースに対する仮想ゴルフシミュレーション装置において、仮想のグリーン及び地形情報に対する映像と、前記グリーンが縮小されて表示されるミニマップ映像とを表示する映像処理手段と、前記グリーンに対するゴルフシミュレーションが行われるようにするシミュレーション手段と、前記グリーンで、ゴルフボールとホールカップ間の全領域または一部領域に対する前記グリーンの地形情報を把握して、ユーザがパットする方向を前記ミニマップ上に提示するパッティングガイドが表示されるようにするパッティングガイド表示手段と、を含む。
【０００９】
一方、本発明の更に他の一実施例に係る仮想ゴルフシミュレーション装置は、ゴルフコースに対する仮想ゴルフシミュレーション装置において、仮想のグリーン及び地形情報に対する映像を表示する映像処理手段と、前記グリーンに対するゴルフシミュレーションが行われるようにするシミュレーション手段と、ユーザの仮想ゴルフを案内するようにする仮想のキャディーに関する情報を処理するキャディー処理手段と、前記グリーンで、ゴルフボールとホールカップ間の全領域または一部領域に対する前記グリーンの地形情報が把握され、前記仮想のキャディーによって、ユーザがパットする方向が提示されるパッティングガイドが表示されるようにするパッティングガイド表示手段と、を含む。
【００１０】
一方、本発明の一実施例に係る仮想ゴルフシミュレーション方法は、ゴルフコースに対する仮想ゴルフシミュレーション方法において、仮想のゴルフコースのグリーンに関するシミュレーション映像が表示される段階と、前記グリーンで、ゴルフボールとホールカップ間の地形情報を把握する段階と、前記把握された地形情報に基づいて、前記ゴルフボールからホールカップまでの全区間または一部区間にわたってユーザがパットする方向を提示するパッティングガイドを表示する段階と、を含む。
【００１１】
一方、本発明の他の一実施例に係る仮想ゴルフシミュレーション方法は、ゴルフコースに対する仮想ゴルフシミュレーション方法において、仮想のゴルフコースのグリーンに関するシミュレーション映像が表示される段階と、前記グリーンが縮小されて表示されるミニマップ映像が表示される段階と、前記グリーンで、ゴルフボールとホールカップ間の地形情報を把握する段階と、前記把握された地形情報に基づいて、前記ゴルフボールからホールカップまでの全区間または一部区間にわたってユーザがパットする方向を提示するパッティングガイドを前記ミニマップ上に表示する段階と、を含む。
【００１２】
一方、本発明の更に他の一実施例に係る仮想ゴルフシミュレーション方法は、ゴルフコースに対する仮想ゴルフシミュレーション方法において、仮想のゴルフコースのグリーンに関するシミュレーション映像が表示される段階と、前記グリーンで、ゴルフボールとホールカップ間の地形情報を把握する段階と、キャディー情報格納部から、ユーザにパットする方向を案内するようにする仮想キャディーの音声及び映像情報のうち少なくとも一つの情報が抽出される段階と、前記把握された地形情報に基づいて、ユーザにパットする方向を提示するパッティングガイドが、前記抽出されたキャディー情報により具現される仮想キャディーによって案内される段階と、を含む。
【発明の効果】
【００１３】
本発明による仮想ゴルフシミュレーション装置及び方法は、実際のゴルフ場でゴルフラウンドする時に、キャディーによるガイドが頻繁に行われ、特に、パット時にキャディーがグリーンのライを読んでパッティング方向をガイドする点を、仮想ゴルフシミュレーションを通じた仮想のゴルフ過程でも具現されるようにして、仮想ゴルフシミュレーションを通じて提供されるコンテンツをゴルファー中心のもっと能動的な形態で提供することによって、ゴルファーの便宜を図り、仮想ゴルフに対する興味を誘発させることができるという効果を奏する。
【図面の簡単な説明】
【００１４】
【図１】本発明の一実施例に係る仮想ゴルフシミュレーション装置がスクリーンゴルフシステムに適用された例を示す図である。
【図２】本発明の一実施例に係る仮想ゴルフシミュレーション装置の制御系統に関して示すブロック図である。
【図３】本発明に係る仮想ゴルフシミュレーション装置で提供されるパッティングガイドの一例を示す図である。
【図４】本発明に係る仮想ゴルフシミュレーション装置で提供されるパッティングガイドの一例を示す図である。
【図５】本発明に係る仮想ゴルフシミュレーション装置で提供されるパッティングガイドの他の一例を示す図である。
【図６】本発明に係る仮想ゴルフシミュレーション装置で提供されるパッティングガイドの他の一例を示す図である。
【図７】本発明に係る仮想ゴルフシミュレーション装置で提供されるパッティングガイドに関するフローチャートである。
【図８】本発明に係る仮想ゴルフシミュレーション装置で提供されるパッティングガイドに関するフローチャートである。
【発明を実施するための形態】
【００１５】
本発明に係る仮想ゴルフシミュレーション装置に関する実施例を、添付の図面を参照して詳細に説明する。
【００１６】
本発明に係る仮想ゴルフシミュレーション装置は様々な形態で具現でき、代表的に、いわゆるスクリーンゴルフシステムに適用することができる。
【００１７】
図１及び図２では、本発明に係る仮想ゴルフシミュレーション装置がスクリーンゴルフシステムに適用された例を示しているが、本発明はこれに限定されず、仮想のゴルフコースをシミュレーションして映像化し、これに仮想のゴルフボールの映像がシミュレーションされるあらゆる形態のシステムないしは装置に適用可能である。
【００１８】
ここでは、本発明に係る仮想ゴルフシミュレーション装置及びその方法がスクリーンゴルフシステムに適用された例を、図１及び図２を参照して説明する。
【００１９】
図１及び図２に示すように、本発明の一実施例に係る仮想ゴルフシミュレーション装置は、ゴルファー（Ｇｏｌｆｅｒ）のゴルフスイング及び／または打撃されたゴルフボールＢの動きを感知するセンシング装置Ｓと、前面に備えられるスクリーン３０に所定の映像を出力する映像出力部４０と、仮想ゴルフシミュレーションに必要な全てのデータの格納及び処理などが行われるシミュレーション手段、すなわちシミュレータ２０などを含んでなる。
【００２０】
また、本実施例に係る仮想ゴルフシミュレーション装置は、システムの設定や仮想ゴルフ競技の進行のための各種設定などのための操作が可能なようにする操作手段を備える。
【００２１】
図１では、上述した操作手段の一例として、キーボードとマウス５０を示している。そして、側壁Ｗに設けられるタッチスクリーン７０も操作手段の一例として提供することができる。
【００２２】
また、図示していないが、上述した操作手段としてリモート装置（図示せず）を提供し、該リモート装置がシミュレータと直接的に通信したり、タッチスクリーンと直接的に通信したりしながら、仮想ゴルフシミュレーションの操作が行われるように構成することも可能である。
【００２３】
そして、図１に示すキーボード及びマウス５０やタッチスクリーン７０は、打席１０に立っているゴルファーにとって操作しにくい点があるため、打席１０でスイングの準備をしているゴルファーが容易に仮想ゴルフシミュレーションの設定を操作できるように、打席１０上にキー操作部（図示せず）を備えて、上述した操作手段として提供することも可能である。
【００２４】
また、図１に示すように、ブース（Ｂｏｏｔｈ）の側壁Ｗにカメラ装置６０を装着して、ゴルファーのスイング姿勢を撮影するようにすることができる。
【００２５】
一方、前記シミュレータ２０は、映像処理部Ｃ、格納部Ｔ及び制御部Ｍを含んで構成されることができる。
【００２６】
前記格納部Ｔは、仮想のゴルフコースに関するデータを含む仮想ゴルフシミュレーションに必要な全てのデータを格納し、前記映像処理部Ｃは、前記格納部Ｔに格納されたデータとして、仮想のゴルフコースに関する映像、ゴルフボールの移動映像及びメニュー選択のための映像など、仮想ゴルフシミュレーションに関連した全ての映像を処理するように備えられる。
【００２７】
前記制御部Ｍは、仮想ゴルフシミュレーションのための各種演算と各構成要素の制御などを総括するように備えられる。
【００２８】
すなわち、ゴルファーが打席１０でゴルフボールＢをスクリーン３０に向かって打撃すれば、センシング装置Ｓがこれをセンシングして制御部Ｍに伝達し、制御部Ｍは、これを映像処理部Ｃに伝達し、前記映像処理部Ｃは、ゴルフボールの移動特性を考慮して、ゴルフボールの移動映像などのゴルフシミュレーション映像情報を格納部Ｔから抽出して構成し、これを映像出力装置４０を通じてスクリーン３０に投影させることによって、仮想シミュレーションを通じたゴルフ競技が進行する。
【００２９】
図１では明確に示していないが、センシング装置（Ｓ、図２を参照）は、打席１０側に設けられる赤外線受発光センサーにより具現されてもよく、天井や壁などに設けられるカメラセンサーにより具現されてもよく、その他のいかなる形態のセンサーによってもセンシング装置Ｓの具現が可能である。
【００３０】
一方、図２に示すように、本発明に係る仮想ゴルフシミュレーション装置の格納部Ｔは、仮想ゴルフシミュレーションのための全てのデータを格納しているシミュレーション情報格納部Ｔ１と、パッティングのためのグリーンの地形情報を格納しているグリーン地形情報格納部Ｔ２と、仮想のキャディーに関する情報を格納しているキャディー情報格納部Ｔ３などを含むことができる。
【００３１】
ここで、前記シミュレーション情報格納部Ｔ１、グリーン地形情報格納部Ｔ２、及びキャディー情報格納部Ｔ３などは、それぞれ独立した格納空間を持ってデータを格納するように具現されてもよく、一つの格納空間において、それぞれ物理的な一部領域に格納するように具現されてもよい。
【００３２】
前記キャディー情報格納部Ｔ３は、仮想ゴルフシミュレーション過程で、仮想ゴルフ競技に対するガイドが仮想キャディーによって行われるように、特定音声及び／または映像などにより具現することができ、特に、パット時にパッティング方向をガイドするように具現することができる。
【００３３】
本発明に係る仮想ゴルフシミュレーション装置は、基本的に、パット時にグリーンのライを予め読んでパッティングの方向を提示するようにするパッティングガイドが具現されるようにすることを特徴する。
【００３４】
すなわち、本発明は、仮想のゴルフコース上のグリーンで、ゴルフボールとホールカップとの間の全領域または一部領域に対する地形情報を把握して、ユーザがパットする方向を提示するパッティングガイドが表示されるようにする手段を有する。
【００３５】
さらに、本発明は、ユーザの仮想ゴルフを案内するようにする仮想のキャディーに関する情報を処理するキャディー処理手段を含み、前記パッティングガイドが前記仮想のキャディーにより案内されるようにすることで、実際のゴルフ場でゴルファーがキャディーの助けによってゴルフラウンドをしているかのようなリアリティーを提供できる。
【００３６】
例えば、前記パッティングガイドが表示される時、制御部が前記キャディー情報格納部Ｔ３から特定の仮想キャディーに関する情報を抽出して、それに対する映像及び／または音声情報を共に出力することによって、仮想キャディーが、パットする方向をガイドするようにすることが可能である。
【００３７】
一方、図３乃至図６を参照して、本発明に係る仮想ゴルフシミュレーション装置で提供するパッティングガイドに関するより具体的な例について説明する。
【００３８】
まず、図３及び図４を参照して、本発明の一実施例に係る仮想ゴルフシミュレーション装置で提供するパッティングガイドについて説明する。
【００３９】
図３及び図４は、本発明の一実施例に係る仮想ゴルフシミュレーション装置の映像出力がスクリーン３０上に表示された例を示している。
【００４０】
図３に示すように、グリーンＧにおいてゴルフボール３１とホールカップＨとの間にパッティングガイド１００が表示される。このようなパッティングガイド１００は、パッティングの進行方向を案内する矢印表示部として具現することが好ましい。図３で、Ｘは、ゴルフボール３１の進行方向をガイドするガイドラインＸを示す。
【００４１】
すなわち、グリーンＧでパットをする状況になった時、シミュレーション手段、すなわちシミュレータは、ゴルフボール３１とホールカップＨとの間の地形特性、すなわちグリーンのライを予め読んでパッティングの方向を矢印表示部で表示されるようにすることができる。
【００４２】
このとき、前記パッティングガイド１００は、ユーザ、すなわちゴルファーの操作手段を通じた操作によってなされてもよく、ホールカップＨから所定の距離でパットをする状況になれば、自動的にパッティングガイド１００が表示されるように設定されてもよい。
【００４３】
そして、図４に示すようにエイミング（Ａｉｍｉｎｇ）が行われることができる。エイミングは、ガイドラインＸとパッティングガイド１００の矢印表示部とが互いに一直線上に置かれるように、ゴルファーがガイドラインＸを操作するものである。したがって、ゴルファーは正面にパットすれば、グリーンのライによるパッティングが行われる。
【００４４】
上述したようなエイミングは、ゴルファーが操作手段を通じて操作することにより行われてもよく、シミュレータが自動でエイミングが行われるようにしてもよい。ゴルファーは、パッティングガイド通りにパットをすることもできるが、パッティングガイドに依存せず、パットを試みることもできるので、エイミングは、ゴルファーの操作により手動で行われるようにすることが好ましい。
【００４５】
そして、前記パッティングガイド１００の矢印表示部が表示される際に、ゴルフボール３１とホールカップＨとの間の区間全体にわたって表示されてもよいが、図３及び図４に示すように、ゴルフボール３１とホールカップＨとの間の一部区間にわたって表示されるようにすることが好ましい。すなわち、矢印表示部の長さは、ゴルフボール３１とホールカップＨ間の距離よりも短く表示されることが好ましい。
【００４６】
一方、図５及び図６を参照して、本発明の他の一実施例に係る仮想ゴルフシミュレーション装置で提供するパッティングガイドについて説明する。
【００４７】
図５及び図６は、本発明の他の一実施例に係る仮想ゴルフシミュレーション装置の映像出力がスクリーン３０上に表示された例を示している。図５及び図６に示すように、スクリーン上に表示される映像は、メイン映像以外に、ミニマップ３２に関する映像がさらに具現されるようにすることが可能である。
【００４８】
前記ミニマップ３２には、現在仮想ゴルフ競技が行われているグリーンの全体または一部に対する縮小映像及びその状態などに対する情報、例えば、グリーン８１上でのホールカップ８３の位置とゴルフボール８２の位置、そして、図面上で明確に示していないが、グリーンの地形に関する情報などを一目で分かるように表示されることができる。
【００４９】
図５及び図６に示された実施例に係る仮想ゴルフシミュレーション装置は、パッティングガイド１００が前記ミニマップ３２を通じて表示されるようにすることを特徴とする。
【００５０】
すなわち、パット時にゴルファーの操作によって又は自動で、ゴルフボール３１，８２とホールカップＨ、８３との間の全範囲または一部範囲での地形情報を予め読んで、それによってミニマップ３２上にパッティングガイド１００が表示されるようにすることが可能である。
【００５１】
一方、パッティングガイド１００が表示された後にエイミングが行われる場合、図６に示すように、パッティングガイド１００が示す方向に従ってエイミングが行われることができる。
【００５２】
すなわち、図６に示すように、ガイドライン（図面において、メイン映像でのガイドラインはＸ、ミニマップ３２でのガイドラインは８４とそれぞれ表示される。）をゴルファーが操作してパッティングガイド１００と一致させることで、エイミングが行われるようにしてもよく、ガイドラインＸ、８４が自動でパッティングガイド１００に一致するようにしてもよい。
【００５３】
このとき、ミニマップ３２上でエイミングが行われながら、メイン映像の画面も同一にエイミングが行われるように具現されることが好ましい。
【００５４】
そして、前記パッティングガイド１００の矢印表示部が表示される際に、ゴルフボール８２とホールカップ８３との間の区間全体にわたって表示されてもよいが、図５及び図６に示すように、ゴルフボール８２とホールカップ８３との間の一部区間にわたって表示されるようにすることが好ましい。すなわち、矢印表示部の長さは、ゴルフボール８２とホールカップ８３間の距離よりも短く表示されることが好ましい。
【００５５】
一方、図示していないが、本発明の更に他の一実施例に係る仮想ゴルフシミュレーション装置は、パッティングガイドを仮想のキャディーが提示するようにすることが可能である。
【００５６】
仮想ゴルフシミュレーション装置の格納部に格納されたキャディー情報格納部（Ｔ３、図２を参照）から、キャディーに関する情報、すなわち音声情報やキャラクター情報または映像情報などが制御部にローディングされ、上述したパッティングガイド（図３乃至図６に示された各実施例によるパッティングガイドを全て含む。）が前記ローディングされたキャディーの特性に応じて提示されるようにすることができる。
【００５７】
また、上述した仮想のキャディーは、様々なキャラクターを有するように具現されることができ、ゴルファーは、このような様々な仮想キャディーのうちいずれか一つを選択して仮想ゴルフ競技の案内を受けることができる。
【００５８】
このとき、パット時に自分が選択した仮想キャディーによってパッティングガイドが生成されるようにすることができ、各キャディーの能力値が異なるように設定されている場合、選択されたキャディーの能力値によって異なる正確度を有するパッティングガイドの具現が可能である。
【００５９】
例えば、各キャディーのキャラクターを、性別、年齢、キャディー経歴、ゴルフ経歴、ゴルフ平均打数などに区分して、それぞれの項目がパッティングガイドの正確度に寄与するところを予め設定しておき、各キャディーごとに各項目の値を互いに異なるようにすることで、パッティングガイドの正確度が各キャディーごとに異なるように設定することができる。
【００６０】
このように、仮想のキャディーによってパッティングガイドが行われるようにすることで、ゴルファーに、仮想ゴルフシミュレーションを通じて実際のゴルフ場でゴルフ競技を楽しむこと以上の興味を誘発させることができる。
【００６１】
一方、図７及び図８を参照して、本発明に係る仮想ゴルフシミュレーション装置でのパッティングガイド提供フローについて説明する。
【００６２】
図７に示すフローチャートは、パッティングガイドが特定の条件で自動で実行される場合を示し、図８に示すフローチャートは、パッティングガイドがゴルファーの操作によって手動で実行される場合を示している。
【００６３】
図７に示すように、仮想のゴルフ競技が進行し、（Ｓ１００）、仮想ゴルフシミュレーションの結果、ゴルフボールがグリーンにオンする場合（Ｓ２００）、制御部は、ゴルフボールからホールカップまでの距離が予め設定された範囲内にあるか否か判断する（Ｓ３００）。
【００６４】
仮に予め設定された範囲内にゴルフボールが進入した場合、シミュレータは、ゴルフボールとホールカップ間の全範囲または一部範囲に対するグリーンのライを分析する（Ｓ４００）。
【００６５】
そして、パッティングガイドを実行させ（Ｓ５００）、シミュレータが自動エイミングを行ったり、またはゴルファーが手動でエイミングが行われるように操作したり、またはエイミングなしにパッティングが行われる（Ｓ６００、Ｓ７００）。
【００６６】
一方、図８に示すように、仮想のゴルフ競技が進行し（Ｓ１０）、仮想ゴルフシミュレーションの結果、ゴルフボールがグリーンにオンする場合（Ｓ２０）、制御部は、ゴルファーが操作手段を操作してパッティングガイドを実行させることを要請しているか否かを判断する（Ｓ３０）。
【００６７】
仮にゴルファーの要請があれば、シミュレータは、ゴルフボールとホールカップ間の全範囲または一部範囲に対するグリーンのライを分析する（Ｓ４０）。
【００６８】
そして、パッティングガイドを実行させ（Ｓ５０）、シミュレータが自動エイミングを行ったり、またはゴルファーが手動でエイミングが行われるように操作したり、またはエイミングなしにパッティングが行われる（Ｓ６０、Ｓ７０）。
【図１】
2013516211.tif 000003
【図２】
2013516211.tif 000004
【図３】
2013516211.tif 000005
【図４】
2013516211.tif 000006
【図５】
2013516211.tif 000007
【図６】
2013516211.tif 000008
【図７】
2013516211.tif 000009
【図８】
2013516211.tif 000010
【国際調査報告】
2013516211.tif 000011
2013516211.tif 000012